(57)【要約】【課題】  多素子指向性アンテナを四本纏めて簡単に仰角設定可能にし、仰角設定部分を分散させることで、外力に強いアンテナの仰角設定取付け装置を得ること。【解決手段】  支柱１にＵＨＦやＶＨＦ用多素子指向性アンテナＡを四本纏めて高所の電波発射源に向けて取付けるに当たり、前記支柱１の上部に水平回動可能に取着した枢着板２の上下に左右対称屈曲部３Ａを有する横スティ３の各中央部３Ｂを軸線中心に回動可能に平行取着し、各横スティ３の左右両側に縦スティ４の中間部４Ａを取着すると共に、その上下両側に前記各アンテナＡを同一方向に向けて一本ずつ突設し、前記各取着部の仮固定状態で、前記左右の縦スティ４を各アンテナと共に高所の電波発射源に向け回動することで、各アンテナＡを四本纏めて電波発射源に向け仰角設定した後、前記仮固定状態の各取着部を固定することで、各アンテナＡの設定済仰角を四本纏めて固定可能となした。【選択図】図１
2005175877.tif 000002
【特許請求の範囲】
【請求項１】
ほぼ鉛直の支柱にＵＨＦ帯域またはＶＨＦ帯域の多素子指向性アンテナを四本纏めて高所の電波発射源に向け仰角設定して取付けるに当たり、前記支柱の上部に枢着板を水平回動可能に取着し、この枢着板の上下にそれぞれ左右対称の屈曲部を有する横スティの各中央部を軸線中心に回動可能に平行取着し、前記各屈曲部を経た各横スティの左右両側に縦スティの中間部を取着すると共に、その上下両側にそれぞれ前記各アンテナを同一方向に向けて一本ずつ突設し、前記各取着部の仮固定状態で、前記左右の縦スティを各アンテナと共に高所の電波発射源に向け回動することで、各アンテナを四本纏めて電波発射源に向け仰角設定した後、前記仮固定状態の各取着部を強固に固定することで、各アンテナの設定済仰角を四本纏めて固定可能となした多素子指向性アンテナの仰角設定取付け装置。
【請求項２】
ほぼ鉛直の支柱にＵＨＦ帯域またはＶＨＦ帯域の多素子指向性アンテナを四本纏めて高所の電波発射源に向け仰角設定して取付けるに当たり、前記支柱の上部に枢着板を水平回動調節後固定可能に取着し、この枢着板の上下には、左右対称の屈曲部を有するクランク状で上下一対の横スティの各中央部を所定間隔を保ちそれぞれ軸線中心に回動調節後固定可能に平行取着すると共に、前記各屈曲部を経た上下各横スティの左右両側にそれぞれ縦スティの中間部を立設取着し、これら左右の縦スティの上下両側にそれぞれ前記各アンテナを同一方向に向けて一本ずつ取付けることで、多素子指向性アンテナ四本の支柱取付け装置を構成し、前記各取着部の仮固定状態で、前記枢着板を前記電波発射源の下方に向け水平回動調節すると共に、前記上下各横スティの各中央部を軸線中心に回動させることで、上下各横スティの左右両側を互いに前後反対方向に変移し、この変移量に応じた傾斜角で左右の縦スティを四本のアンテナと共に高所の電波発射源に向け仰角設定した後、前記仮固定状態の各取着部を強固に定着することで、各アンテナの設定済仰角を四本纏めて固定可能となした多素子指向性アンテナの仰角設定取付け装置。
【請求項３】
ほぼ鉛直の支柱にＵＨＦ帯域またはＶＨＦ帯域の多素子指向性アンテナを四本纏めて高所の電波発射源に向け仰角設定して取付けるに当たり、前記支柱の上部に枢着板をＵ字ボルトと締付ナットとで水平回動調節後固定可能に取着し、この枢着板の上下には、左右対称の屈曲部を有するクランク状で上下一対の横スティの各中央部を所定間隔を保ちＵ字ボルトと締付けナットとでそれぞれ軸線中心に回動調節後固定可能に平行取着すると共に、前記各屈曲部を経た上下各横スティの左右両側に縦スティの中間部をＵ字ボルトと締付けナットとで立設取着し、これら左右の縦スティの上下両側にそれぞれ前記各アンテナを同一方向に向けて一本ずつ取付けることで、多素子指向性アンテナ四本の支柱取付け装置を構成し、前記各締付けナットを緩めた各取着部の仮固定状態で、前記枢着板を前記電波発射源の下方に向け水平回動調節すると共に、前記上下各横スティの各中央部を軸線中心に回動させることで、これら上下各横スティの左右両側を互いに前後反対方向に変移し、この変移量に応じた傾斜角で左右の縦スティを四本のアンテナと共に高所の電波発射源に向け仰角設定した後、前記緩めた各締付けナットを強固に締着することで、各アンテナの設定済仰角を四本纏めて固定可能となした多素子指向性アンテナの仰角設定取付け装置。
【請求項４】
前記上下各横スティの左右両側に縦スティの中間部を立設取着するに当たり、上部横スティの後側に左右の縦スティの中間部前側を接し、かつ下部横スティの前側に左右の縦スティの中間部後側を接した状態で、これら各縦スティの中間部を上下各横スティの直径に応じた傾斜角て各横スティの左右両側に斜めに取着することで、上記傾斜角だけ左右の各縦スティを前記四本の各アンテナＡ共にさらに大きく仰角設定可能となした請求項１から請求項３までに記載の多素子指向性アンテナの仰角設定取付け装置。
【請求項５】
前記上下各横スティと左右の縦スティとをそれぞれ強靱な丸パイプ材で作った請求項１から請求項４までに記載の多素子指向性アンテナの仰角設定取付け装置。
【発明の詳細な説明】
【技術分野】
【０００１】
本発明は、ＵＨＦ帯域またはＶＨＦ帯域の電波共聴設備受信用アンテナなど、水平・垂直スタック接続した受信用多素子指向性アンテナを四本纏めて地上波デジタルテレビ放送アンテナなど高所の電波発射源に精確に向け仰角設定して設置する際に用いて好適なＵＨＦ帯域またはＶＨＦ帯域の多素子指向性アンテナの仰角設定取付け装置に関する。
【背景技術】
【０００２】
通信用アンテナの仰角を設定して支柱やベランダに取付ける装置としては従来、下記の特許文献１・特許文献２および，特許文献３に記載のものがそれぞれ周知であるが、これらの従来例は、いずれも放送衛星や通信衛星からの電波を受信するためのパラボラアンテナを仰角設定して支柱やベランダに取付けるためのアンテナ取付け装置である。
【特許文献１】特開平７−２２６６２１号公報
【特許文献２】特開２００１−２９８３１０号公報
【特許文献３】特開２００３−４６３１０号公報
【発明の開示】
【発明が解決しようとする課題】
【０００３】
上記従来例は、パラボラアンテナの仰角設定取付け装置であり、複数のアンテナ取付け具における板面同士の接面部分を角度変更可能にねじ止めしてパラボラアンテナの受信反射面を上記放送衛星や通信衛星に向くように仰角設定するものであり、具体的には上記各アンテナ取付け装置の板面同士を接面し、一方の板面に形成した長孔の縁辺を他方の板面にねじ止めすることで、パラボラアンテナの仰角を固定するものだから、この仰角固定部分の強度が接面方向の外力に対し弱く動き易い上に、アンテナ仰角設定部分が取付け装置の板面に局所集中しているため、テコの原理に基づき長尺物支持に対して弱く、水平・垂直スタック接続して用いるＵＨＦ帯域やＶＨＦ帯域の多素子指向性アンテナを四本纏めて仰角設定し支柱に取付けるアンテナ取付け装置としては強度不足のため採用できない。
【０００４】
すなわち、地上波テレビ放送電波の影となる地域には、現在、山上サテライト局の中継アンテナから周波数変換したり、発射電波の偏波面を変えたりしてＵＨＦ帯域やＶＨＦ帯域の中継電波を発射することで、水平・垂直スタック接続したＵＨＦ帯域やＶＨＦ帯域の受信アンテナで可及的に良質な受信状態を得ているが、地上波テレビ放送電波の影となる地域は一般に豪雪地帯が多く、冬場になると上記各多素子指向性アンテナへの着雪量も多くなり、ＵＨＦ帯域またはＶＨＦ帯域の多素子指向性アンテナ四本全体の荷重としては、２０キログラム以上の大重量となる場合も有るし、これら四本の多素子指向性アンテナは、季節を通して強風時には一つのパラボラアンテナよりも揺動し易いため、これら四本の多素子指向性アンテナを前記従来例のものに無理に搭載した場合、上記大きなアンテナ荷重や強風で揺動する四本のアンテナからの無理な外力が、それぞれ従来取付け装置の板面や局部集中したアンテナ仰角固定部分に、テコの原理により継続的に繰り返し強く加わるため、上記板面が繰り返し撓んだり、上記アンテナ仰角固定接面ねじ止め部分が互いにずれ動いたりして受信状態が極めて不安定となると共に、上記帯域の各指向性アンテナの仰角やアンテナ水平向きが大きく変化して受信障害が生じたり、時には、上記各アンテナの仰角固定部分や取付け金具全体が破損してＵＨＦ帯域やＶＨＦ帯域の各多素子指向性アンテナが倒れてしまい、使い物にならなくなるという本質的かつ、大きな問題点が有る。
【０００５】
これら従来例のほかに、水平・垂直スタック接続した四本のＵＨＦ帯域またはＶＨＦ帯域の多素子指向性アンテナを支柱に対し、同方向に向けて水平に突設したり、上記各多素子指向性アンテナを試行錯誤的に一本ずつ個別に高所の電波発射源に向け仰角設定して支柱に取付けて使用した試しも有るが、この場合には、四本の多素子指向性アンテナの上記仰角設定作業を一本ずつ個別に実行しなければならず、各アンテナ仰角の設定作業が著しく煩雑かつ、面倒で危険な作業であるため、一般的には、この種ＵＨＦ帯域またはＶＨＦ帯域の多素子指向性アンテナの垂直指向性が水平指向性よりも大幅にブロードであると言う考え方から、ＵＨＦ帯域やＶＨＦ帯域の多素子指向性アンテナをほぼ水平に固定したまま使用していたので、上記各多素子指向性アンテナを山上に設置した地上波デジタルテレビ放送中継アンテナなど高所の電波発射源に精確に向けて設置できないという、これまた本質的かつ、大きな問題点が有る。
したがって、前記したすべての従来例では、我国で放送し始めた双方向通信も可能な地上波デジタルテレビ放送電波など高所から到来する極超短波領域の放送電波を扱うためのＵＨＦ帯域またはＶＨＦ帯域の多素子指向性アンテナの仰角設定取付け装置としては全く対処できないという本質的かつ、大きな問題点が有る。
【０００６】
この発明は、高所から到来する地上波デジタルテレビ放送電波などのＵＨＦ帯域やＶＨＦ帯域の到来電波を少しでも良く受信するために、水平・垂直スタック接続したＵＨＦ帯域またはＶＨＦ帯域の多素子指向性アンテナを四本纏めて上記電波の発射源に向け簡単に仰角設定可能にし、この仰角設定部分を分散させることで、外力に強いＵＨＦ帯域やＶＨＦ帯域の多素子指向性アンテナの仰角設定取付け装置を得ることを目的とする。
【課題を解決するための手段】
【０００７】
上記した本発明の目的は、ほぼ鉛直の支柱にＵＨＦ帯域またはＶＨＦ帯域の多素子指向性アンテナを四本纏めて高所の電波発射源に向け仰角設定して取付けるに当たり、前記支柱の上部に枢着板を水平回動可能に取着し、この枢着板の上下には、左右対称の屈曲部を有する横スティの各中央部を軸線中心にそれぞれ回動可能に平行取着し、前記各屈曲部を経た各横スティの両側にそれぞれ左右の縦スティの中間部を取着すると共に、その上下両側にそれぞれ前記各アンテナを同一方向に向けて一本ずつ突設し、前記各取着部の仮固定状態で、前記左右の縦スティを各アンテナと共に高所の電波発射源に向け縦横斜めに回動することで、各アンテナを四本纏めて電波発射源に向け仰角設定した後、前記仮固定状態の各取着部を強固に固定することで、各アンテナの設定済仰角を四本纏めて固定可能となしたことで達成できた。
【発明の効果】
【０００８】
本発明は、以上のような手段を採用したので、以下に記載の効果を奏する。
この発明における請求項１・請求項２に記載の発明によれば、前記支柱に対する枢着板の取着部を緩めた枢着板の仮固定状態で、この枢着板を前記電波発射源の下方に向け前記縦横の各スティと四本のＵＨＦ帯域またはＶＨＦ帯域の各多素子指向性アンテナと共に水平回動調節した後、上下の各横スティと上記枢着板との取着部および縦横各スティ同士の取着部を緩めた縦横各スティの仮固定状態で、前記上下各横スティの中央部を枢着板に対して軸線中心に回動させることで、これら上下各横スティの左右両側を互いに前後反対方向に変移でき、この変移量に応じた傾斜角で左右の縦スティを上記四本の各アンテナと共に高所の電波発射源に向け簡単に仰角設定できるという効果が有るし、この仰角設定後、前記仮固定状態の各取着部を強固に定着することで、ＵＨＦ帯域やＶＨＦ帯域の各アンテナの設定済仰角を四本纏めて簡単に固定できるという優れた効果が有る。
【０００９】
この発明における上記の仰角固定状態は、主として四本のＵＨＦ帯域やＶＨＦ帯域の多素子指向性アンテナに加わる大きな荷重やテコ応力にも強くなるよう互いに大きく分散配置した前記各取着部分で極めて安定に長期間維持できたという優れた効果のほかに、前記枢着板は細長偏平であり、各スティ類が全部細長いから、その梱包・運搬・組立使用・保守点検などのすべての面で扱い易く、価格的にも有利であるという優れた効果も有る。
【００１０】
この発明における請求項３の発明によれば、前記諸効果に加えて、前記支柱に対する枢着板の取着部や枢着板と上下各横スティとの取着部および縦横各スティ同士の取着部にＵ字ボルトと締付けナットとを用いたから、Ｕ字ボルトに対して締付けナットを僅かに緩めるだけで、上記各取着部が簡単に仮固定状態となり、前記左右の縦スティを前記四本の各アンテナと共に高所の電波発射源に向け仰角設定し易くなったし、この仰角設定後、緩めた締付けナットを強固に締着するだけで、ＵＨＦ帯域やＶＨＦ帯域の多素子指向性アンテナの設定済仰角を四本纏めて、簡単かつ、強固に固定できるという効果を付加できた。
【００１１】
この発明における請求項４の発明では、前記諸効果に加えて、前記上下各横スティの左右両側に縦スティの中間部を取着するに当たり、上部横スティの後側に左右各縦スティの中間部前側を接し、かつ下部横スティの前側に左右各縦スティの中間部後側を接した状態で、これら縦スティの中間部を上下各横スティの直径に応じた傾斜角て各横スティの左右両側に斜めに取着することで、上記傾斜角だけ左右の各縦スティ仰角を前記四本のアンテナと共に大きく設定できるので、各アンテナを四本纏めてさらに大きく仰角設定できたという効果を付加でき、また、請求項５の発明では、前記上下各横スティと左右の縦スティとをそれぞれ強靱な丸パイプ材で作ったので、四本のＵＨＦやＶＨＦアンテナに対処できるメカ的強度が大きいスティを軽量かつ安価に作成できるという効果を付加できた。
【発明を実施するための最良の形態】
【００１２】
本発明を実施するための最良の基本的な形態例としては、図１から図３までの各図のように、ビルの屋上などにほぼ鉛直に立設した強靱丸パイプ製の支柱１に導波器と反射器とを有するダイポールアンテナなど周知のＵＨＦ帯域またはＶＨＦ帯域の到来電波受信用の多素子指向性アンテナＡ（図示例では、ＵＨＦ帯域の受信用アンテナＡ）を四本纏めて水平・垂直スタック接続して高所のＵＨＦ帯域またはＶＨＦ帯域の電波発射源に向けて取付けるに当たり、前記支柱１の上部外周面１Ａに図１および図４のように金属などの強靱材で作った縦長の枢着板２をＵ字ボルトＵとナットＮとで図４における矢印のように水平向きを回動調節した後固定可能に取着し、この枢着板２の上下には、図１および図４のように左右対称的な屈曲部３Ａを有するクランク状に強靱な丸パイプを屈曲して作った上下一対の横スティ３の各中央部３Ｂを上記各図のように所定間隔を保ちそれぞれＵ字ボルトＵと締付けナットＮとで軸線中心に回動調節した後固定可能に平行して取着する。
【００１３】
一方、前記左右対称の各屈曲部３Ａを経た上下各横スティ３の左右両側にそれぞれ強靱丸パイプ製の縦スティ４の中間部４ＡをＵ字ボルトＵと締付けナットＮとで図１から図３までの各図のように立設取着し、これら左右の縦スティ４の上下両側にそれぞれ前記ＵＨＦ帯域の多素子指向性アンテナＡまたはＶＨＦ帯域の多素子指向性アンテナＡの支持アームａを図４のようにＵ字ボルトＵと締付け蝶ナットＮとで周知の取付け座Ｍを介して同一方向に向けて前記各図のように一本ずつ合計四本分散して取付ける。
【００１４】
本発明の構成は以上のようなもので、以下その使用例につき説明する。
先ず、前記各アンテナ支持アームａと縦スティ４との取着部分を除き、前記各取着部分における各締付けナットＮをすべて僅かずつ緩めた各取着部の仮固定状態とすれば、前記枢着板２は、支柱１に対して図５における矢印のように水平回動できるから、この枢着板２を縦横の各スティと前記四本の各多素子指向性アンテナＡと共に前記高所の電波発射源の下方に向け水平回動調節でき、この調節後または調節前に、枢着板２に対して前記上下各横スティ３の各中央部３Ｂを軸線中心に図５における矢印のように回動させることで、上下各横スティ３の左右両側の位置を図３の上下一致状態から図１・図２のように互いに前後方向にずらして変移できるから、各横スティ左右両側の前後位置変移量に応じた傾斜角で左右の各縦スティ４を四本のＵＨＦ帯域またはＶＨＦ帯域の各アンテナＡと共に図３の水平状態から仰角設定方向に図１・図２のように傾斜させ仮固定できる。
【００１５】
次いで、上記仮固定状態にある縦スティ４の上下四個所に突設した前記ＵＨＦ帯域またはＶＨＦ帯域の四本のアンテナＡで受信した水平偏波の到来電波を同軸ケーブル（周知のものでよいから図示せず）を経て周知の水平・垂直スタック混合接続手段を介し周知のテレビジョン受像機に入力し、その画面の映り具合が最良になるように確認しながら、上記各アンテナＡが図１・図２のように高所の電波発射源に四本纏めて向くように、縦スティ４を四本のアンテナＡ・枢着板２・上下各横スティ３と共に縦横斜めに回動することで、各アンテナＡの仰角と左右角とを四本纏めて精確に同時設定することができ、各アンテナの設定済仰角を上記テレビの映り具合を確認しながら最良に保持した状態で、今度は、前記仮固定状態にある緩めた締付けナットＮを強固に締着することで、高所の電波発射源に精確に向けた上記四本のＵＨＦ帯域またはＶＨＦ帯域の多素子指向性アンテナＡの設定済仰角を四本纏めて図１・図２のように強固かつ、安定に固定でき、上記四本の多素子指向性アンテナＡでＵＨＦ帯域またはＶＨＦ帯域の水平偏波の到来電波を前記のようにテレビ画面の映り具合が最良の状態で長期に亘り安定に受信し視聴できた。
【実施例】
【００１６】
前記枢着板２は、支柱１の上端に水平回動調節後固定可能に被せた強靱な蓋筒体（周知のものでよいから図示せず）に溶着などで強固に固定することで、支柱１の上端に水平回動調節後固定できるように取着してもよく、また前記縦横各スティ類の取着部は、前述したようなＵ字ボルトＵや締付けナットＮを用いる代わりに、周知の締めねじ付き締着バンドで各スティ類を軸線中心に回動調節した後、上記締着バンドを強固に締着して取着したり、針金や強靱な締め付け紐で各スティ類をたすき掛けして仮固定し、各スティ類を軸線中心に回動調節した後、上記針金や締め付け紐を強固に締着して取着してもよい。
【００１７】
また、前記上下各横スティ３の左右両側に縦スティ４の中間部を取着するに当たり、図６・図７のように上部横スティ３の後側に左右各縦スティ４の中間部前側を接し、かつ下部横スティ３の前側に左右各縦スティ４の中間部後側を接した状態で、これら縦スティ４の中間部４Ａを同図６のように上下各横スティ３の直径に応じた傾斜角て各横スティ３の左右両側に図７のように斜めに取着することで、前記図２に示す縦スティ４と前記四本の各アンテナＡの仰角よりも、縦スティ４を上記傾斜角だけ四本の各アンテナＡと共に同図７のようにさらに大きく設定でき、上下各横スティの軸線中心回動による各横スティ両側の変移寸法に応じた前記図１・図２のような縦ステイ仰角に、上記上下各横スティ３に対する各縦スティ４の前後変移取着に基づく上下二本の横スティ３の直径に応じた縦ステイ仰角を加えた図７のような縦スティ４の合算仰角で前記ＵＨＦ帯域またはＶＨＦ帯域の各アンテナＡを四本纏めて同図７のように可及的に大きく仰角設定できた。
【産業上の利用可能性】
【００１８】
前記各図示例では、ＵＨＦ帯域の受信用多素子指向性アンテナの仰角設定取付け装置を示したが、本発明による前記各スティ類の長さや直径を一回り大きくし、上下の各横スティ３の上下間隔を図示例よりも離隔させて枢着板２に平行取着することで、本発明は、ＶＨＦ帯域の多素子指向性アンテナの仰角設定取付け装置としても当然に実施できる。
【図面の簡単な説明】
【００１９】
【図１】本発明によるアンテナ取付け装置の前方斜視図
【図２】図１に示すものの後方斜視図
【図３】図２に示すものと状態を異にした後方斜視図
【図４】図１における枢着板付近の拡大斜視図
【図５】図１におけるアンテナ支持アーム部分の拡大斜視図
【図６】図２に示すものの要部の他の例を示す拡大斜視図
【図７】図２に示すものと状態を異にした後方斜視図
【符号の説明】
【００２０】
Ａ…ＵＨＦ帯域またはＶＨＦ帯域の多素子指向性アンテナ
ａ…アンテナ支持アーム  １…支柱  １Ａ…上部外周面
２…枢着板  ３…上下の各横スティ
３Ａ…横スティの左右対称の屈曲部  ３Ｂ…横スティ中央部
４…左右の各縦スティ  ４Ａ…縦スティ中間部
Ｕ…Ｕ字ボルト  Ｎ…締め付けナット
【図１】
2005175877.tif 000003
【図２】
2005175877.tif 000004
【図３】
2005175877.tif 000005
【図４】
2005175877.tif 000006
【図５】
2005175877.tif 000007
【図６】
2005175877.tif 000008
【図７】
2005175877.tif 000009